(57)【特許請求の範囲】
【請求項１】
空調用の室外機（１）からの冷媒を利用する温調水ユニット（２）を、室外機（１）の上部に、その上部開口を覆うように配設した空調装置において、上記温調水ユニット（２）の一側部側を支点として、その他側部側を持ち上げ可能とし、上記温調水ユニット（２）の一側部側の下端部には、室外機（１）の上端部に対して支点となる係合部（１５）を設けていることを特徴とする空調装置。
【請求項２】
上記温調水ユニット（２）を持ち上げた際に、該温調水ユニット（２）を保持する支柱（２４）を設けていることを特徴とする請求項１の空調装置。
【請求項３】
上記支柱（２４）は、その一端が温調水ユニット（２）に対して回動自在に枢支されると共に、温調水ユニット（２）の下面側に収納可能とされていることを特徴とする請求項２の空調装置。
【請求項４】
室外機（１）と温調水ユニット（２）とを接続する冷媒配管（５）は、温調水ユニット（２）の背面側に接続されており、上記温調水ユニット（２）は、その前面側を持ち上げ可能としたことを特徴とする請求項１〜請求項３のいずれかの空調装置。
【請求項５】
温調水ユニット（２）の背面側から温調水配管（４）を導出していることを特徴とする請求項４の空調装置。
【発明の詳細な説明】
【０００１】
【発明の属する技術分野】
この発明は、空調装置に関するもので、特に空調用の室外機からの冷媒を利用する温調水ユニットを、室外機の上部に段積み配置した空調装置に関するものである。
【０００２】
【従来の技術】
近年、室内環境を良好に保つための設備として、空調機だけでなく、床暖房や床冷房などの床温調を行なうことができる床温調装置が提供されている。図５は空調装置の室外機１と温調水ユニット２を示しており、室外機１は通常の空調機の室外機であり、この室外機１の上面に温調水ユニット２を配設している。この床温調装置は、空調機の室外機１側で用いている冷媒を利用し、この冷媒を温調水ユニット２内に設けている水熱交換器を凝縮器または蒸発器として機能させて水を加熱または冷却して、図６に示すように室内側の床温調パネル３へ供給・循環させているものである。
【０００３】
温調水ユニット２は、図６に示すように室内の床面に敷設される床温調パネル３とは、往きと戻りの一対の温調水配管４、４と接続されており、温調水ユニット２から温調水配管４を介して床温調パネル３へ加熱または冷却した温調水を供給し、この温調水を循環させている。これにより、床温調パネル３で暖房、冷房の機能を付与している。
【０００４】
上記温調水ユニット２からの温調水配管４は、該温調水ユニットの背面から導出され、室外機１の背面側に配管され、さらに室内の床温調パネル３へと配管されている。さらに、温調水ユニット２は上述したように室外機１の冷媒を使用しているので、図５及び図６に示すように室外機１と温調水ユニット２とは一対の冷媒配管５、５で接続されている。そして、この冷媒配管５は、温調水ユニット２の背面側に接続されている。
【０００５】
【発明が解決しようとする課題】
ところで上記のような従来例において、温調水ユニット２を室外機１の上に段積み設置した場合、室外機１のメンテナンスが非常に困難であり、また温調水ユニット２を室外機１の上から取り外すのに多くの手数を要するという問題があった。すなわち、室外機１と温調水ユニット２との間は冷媒配管５が接続されているので、温調水ユニット２を取り外す場合にはポンプダウン（冷媒回収）が必要となるためである。また、温調水ユニット２と床温調パネル３とは温調水配管４で接続されているため、温調水ユニット２を取り外す際には水抜きも必要となるためであり、これらポンプダウンや水抜きに多くの手数を要するのである。
【０００６】
この発明は上記した従来の欠点を解決するためなされたものであって、その目的は、室外機のメンテナンスを行なう場合に冷媒配管や温調水配管の取り外しを行なうことなく、短時間で簡単にメンテナンスを行なうことができるようにした空調装置を提供することにある。
【０００７】
【課題を解決するための手段】
そこで、請求項１の空調装置は、空調用の室外機１からの冷媒を利用する温調水ユニット２を、室外機１の上部に、その上部開口を覆うように配設した空調装置において、上記温調水ユニット２の一側部側を支点として、その他側部側を持ち上げ可能とし、上記温調水ユニット２の一側部側の下端部には、室外機１の上端部に対して支点となる係合部１５を設けていることを特徴としている。
【０００８】
かかる構成とすることで、室外機１のメンテナンスを行なう場合、温調水ユニット２の一側部側を支点として、その他側部側を持ち上げれば、室外機１の上部開口が開放されるので、この開口を通してメンテナンス作業を行うことができる。このように従来とは異なり、冷媒配管５や温調水配管４を取り外すことなく、短時間で簡単に電装部品の修理や交換等のメンテナンスを行なうことが可能となる。また、係合部１５が室外機１の端部に係合して、温調水ユニット２が室外機１から滑り落ちるのを防止しながら、温調水ユニット２を持ち上げることができる。
【００１１】
請求項２の空調装置は、温調水ユニット２を持ち上げた際に、該温調水ユニット２を保持する支柱２４を設けていることを特徴としている。
【００１２】
これにより、支柱２４でもって、温調水ユニット２を所定の角度で持ち上げた状態を保持できて、メンテナンス作業を容易にすることができる。
【００１３】
請求項３の空調装置は、上記支柱２４は、その一端が温調水ユニット２に対して回動自在に枢支されると共に、温調水ユニット２の下面側に収納可能とされていることを特徴としている。
【００１４】
これにより、通常の状態では支柱２４を温調水ユニット２側に収納でき、メンテナンス時に支柱２４を下げて温調水ユニット２を持ち上げるので、メンテナンス作業を効率良く行なうことができる。
【００１５】
請求項４の空調装置は、室外機１と温調水ユニット２とを接続する冷媒配管５は、温調水ユニット２の背面側に接続されており、上記温調水ユニット２は、その前面側を持ち上げ可能にしたことを特徴としている。
【００１６】
これにより、冷媒配管５は温調水ユニット２の持ち上げ時の支点側となるので、冷媒配管５が配管されていても、温調水ユニット２を容易に持ち上げることができ、メンテナンス等の効果を一層高めることができる。
【００１７】
請求項５の空調装置は、温調水ユニット２の背面側から温調水配管４を導出していることを特徴としている。
【００１８】
これにより、温調水配管４は温調水ユニット２の持ち上げ時の支点側となるので、温調水配管４が設けられていても、温調水ユニット２を容易に持ち上げることができ、メンテナンス等の効果を一層高めることができる。
【００１９】
【発明の実施の形態】
以下、本発明の実施の形態を図面を参照して詳細に説明する。なお、従来と同一の機能を発揮する要素には同一の番号を付して詳細な説明は省略し、本発明の要旨の部分について詳述する。すなわち、室外機１及び温調水ユニット２などは従来と同じであり、室外機１の上部に、その開口を覆うように段積み配置した温調水ユニット２を、乗用車のボンネット式に自在に開閉できるようにしたものである。
【００２０】
また、図１に示すように冷媒配管５は、室外機１に対してはその側面側に接続され、また温調水ユニット２に対してはそのの背面側に接続されており、温調水配管４は図１及び図５に示すように、温調水ユニット２の背面側から導出されている。温調水ユニット２の外殻は上面を開口した箱状のケーシング１０と、このケーシング１０の上面に覆設される天板１１とで構成されている。また、ケーシング１０の背板１２の下端には舌片１３が横方向略全長にわたって一体に垂設されており、この舌片１３に対向してケーシング１０の底板１４の下面より、係合部としての突起１５が横方向略全長にわたって一体に垂設されている。この突起１５及び舌片１３により断面を略コ字型とした溝１６が形成されることになる。なお、舌片１３及び突起１５は横方向の寸法を短くして、ケーシング１０の両側、あるいは両側を含む複数箇所に設けるようにしても良い。
【００２１】
室外機１の背板２２の上端に上記溝１６が遊嵌される形で温調水ユニット２が室外機１の上に配設される。そして、温調水ユニット２の前面側を持って上げると、突起１５が支点となって温調水ユニット２を楽に上げることができる。また、この時温調水ユニット２の突起１５が室外機１の背板２２の上端に当接するので、温調水ユニット２が室外機１からずり落ちるのを防止している。
【００２２】
さらに温調水ユニット２を室外機１から上げた状態を保持するために、図１及び図２（ａ）に示すように温調水ユニット２と室外機１との間に針金状の支柱２４を介装するようにしている。この支柱２４は鋼材製で断面円形のものであって、図３に示すように支柱２４の上部を略Ｕ字状に曲成し、下部を略Ｚ字状に折曲している。支柱２４の上部を軸支部２５とし、下端を係止部２６としている。この支柱２４は通常は温調水ユニット２のケーシング１０の下面に収納するようにしており、図４に示すようにケーシング１０の下面の前部側に穿孔した穴１７に軸支部２５を挿通して軸支部２５を支点として支柱２４を回動自在としている。そして、通常は支柱２４の下部側をケーシング１０の下面と凹凸嵌合して、支柱２４をケーシング１０の下面の両側にそれぞれ収納している。
【００２３】
図２（ａ）に示すように温調水ユニット２を持ち上げた際には、温調水ユニット２の下面から支柱２４を降ろして、図４に示すように支柱２４の係止部２６を室外機１の側板の上部側に穿孔した係止穴２８に挿入係止し、温調水ユニット２を若干下方に降ろすと支柱２４の折曲部２７が室外機１の上面に当接することで、温調水ユニット２は室外機１に対して図２（ａ）に示すような角度でもって規制されることになる。
【００２４】
このように、室外機１のメンテナンス時において、車のボンネット式のように温調水ユニット２の後側を突起１５による支点として温調水ユニット２の前側を持ち上げ、室外機１と温調水ユニット２との間に支柱２４を引っ掛けて温調水ユニット２を所定の角度で開いた状態で保持する。これにより、図１に示すように温調水ユニット２は傾斜して保持されるので、前面の開口部分から室外機１内の電装部品の修理や交換等を容易に行なうことができる。また、温調水ユニット２の背面から導出している温調水配管４は架橋ポリエチレン製、冷媒配管５は銅製のため、温調水ユニット２を後部を支点として持ち上げても、温調水配管４及び冷媒配管５が撓みを吸収することができるので、温調水配管４及び冷媒配管５を取り外すことなく温調水ユニット２を容易に前側に開けることができる。
【００２５】
なお、室外機１の上に配設する温調水ユニットとして先の実施形態では温調水ユニット２の場合を示したが、温調水ユニット２に限られるものではなく、例えば、室外機１の冷媒を利用して給湯する給湯装置でも良い。
【００２６】
【発明の効果】
以上のように、請求項１の空調装置によれば、温調水ユニットを室外機に対してボンネット式に持ち上げ可能としているので、室外機のメンテナンスを行なう場合、従来とは異なり冷媒配管や温調水配管を取り外す必要はない。そのため、短時間で簡単に電装部品の修理や交換等のメンテナンスを行なうことが可能となる。また、上記温調水ユニットより室外機に対して支点となる係合部を設けているので、係合部が室外機の端部に係合して温調水ユニットが室外機から滑り落ちるのを防止しながら、温調水ユニットを持ち上げることができる。
【００２８】
請求項２の空調装置によれば、温調水ユニットを持ち上げた際に、該温調水ユニットを保持する支柱を設けているので、支柱でもって温調水ユニットを所定の角度で持ち上げた状態に保持できて、メンテナンス作業を容易にすることができる。
【００２９】
請求項３の空調装置によれば、上記支柱は、その一端を温調水ユニットに対して回動自在に枢支されると共に、温調水ユニットの下面側に収納可能としているので、通常の状態では支柱を温調水ユニット側に収納でき、メンテナンス時に支柱を下げて温調水ユニットを持ち上げるので、メンテナンス作業を効率良く行なうことができる。
【００３０】
請求項４の空調装置によれば、室外機と温調水ユニットとを接続する冷媒配管は、温調水ユニットの背面側に接続されており、上記温調水ユニットは、その前面側を持ち上げ可能としているので、冷媒配管は温調水ユニットの持ち上げ時の支点側となるので、冷媒配管が配管されていても、温調水ユニットを容易に持ち上げることができ、メンテナンス等の効果を一層高めることができる。
【００３１】
請求項５の空調装置によれば、温調水ユニットの背面側から温調水配管を導出しているので、温調水配管は温調水ユニットの持ち上げ時の支点側となり、そのため温調水配管が設けられていても温調水ユニットを容易に持ち上げることができ、メンテナンス等の効果を一層高めることができる。
【図面の簡単な説明】
【図１】本発明の実施の形態の室外機の上に配設した温調水ユニットを支柱にて保持している状態を示す図である。
【図２】（ａ）は本発明の実施の形態の室外機の上に配設した温調水ユニットを支柱にて保持している状態を示す図である。
（ｂ）は本発明の実施の形態の図２（ａ）のＡ部の拡大断面図である。
【図３】（ａ）は本発明の実施の形態の支柱の正面図である。
（ｂ）は本発明の実施の形態の図３（ａ）のＡ矢視図である。
【図４】本発明の実施の形態の支柱を室外機に引っ掛けた状態の要部拡大断面図である。
【図５】（ａ）（ｂ）はそれぞれ室外機の上に温調水ユニットを配設する場合の分解斜視図及び斜視図である。
【図６】温調水ユニットと床温調パネルとの構成を示す概略図である。
【符号の説明】
１    室外機
２    温調水ユニット
４    温調水配管
５    冷媒配管
１５    突起
２４    支柱
【図１】
0003622647.tif 000002
【図２】
0003622647.tif 000003
【図３】
0003622647.tif 000004
【図４】
0003622647.tif 000005
【図５】
0003622647.tif 000006
【図６】
0003622647.tif 000007